【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
装置であって、該装置は、
（ａ）１対の平行面を含む複数の面を有する導光素子であって、前記導光素子は前記平行面における内部反射によって導光するために構成され、前記複数の面のうちの１つは連結面を設ける、導光素子；
（ｂ）前記連結面に取り付けるための接合面を有する透明な光学素子であって、前記透明な光学素子内で伝播する光が前記接合面と前記連結面を通過し、それによって導光素子内に伝播するように構成される、透明な光学素子；
（ｃ）前記導光素子の前記平行面の少なくとも１つの面の、少なくとも一部に適用される不透明のコーティングであって、前記導光素子の前記連結面に隣接する、あるいは重なり合う端部を画定する、不透明のコーティング；および、
（ｄ）光学透過界面を形成するために前記連結面と前記接合面の間に配置される、ある量の透明な接着剤であって、前記端部まで延び、および重なり合う接着剤；
を含み、
ここで、前記端部が、前記透明な光学素子から前記導光素子へと通過する光線のための光学遮断端部を画定し、ならびに、前記不透明のコーティングが、前記平行面の少なくとも１つの下部領域において内部反射を生成するように構成される、
ことを特徴とする装置。
【請求項２】
前記連結面が前記平行面のうちの１つの上に設けられる、請求項１に記載の装置。
【請求項３】
前記コーティングが前記連結面と前記接合面との間に広がる、請求項２に記載の装置。
【請求項４】
前記連結面が前記平行面に対して傾いている、請求項１に記載の装置。
【請求項５】
前記連結面と前記平行面が研磨された端部で接し、および前記端部が前記研磨された端部とは重なり合わない、請求項４に記載の装置。
【請求項６】
前記接着剤が前記研磨された端部と前記接合面との間に形成された凹部を充填する、請求項５に記載の装置。
【請求項７】
前記連結面が前記平行面に対して傾斜する、請求項４に記載の装置。
【請求項８】
前記連結面が前記平行面に対して垂直である、請求項４に記載の装置。
【請求項９】
前記接合面が前記連結面よりも大きい、請求項１に記載の装置。
【請求項１０】
前記コーティングが金属コーティングである、請求項１に記載の装置。
【請求項１１】
前記コーティングが誘電性コーティングである、請求項１に記載の装置。
【請求項１２】
前記透明な光学素子が、前記導光素子内へ光を入力するために配向された入力面を設けるように構成された連結プリズムである、請求項１に記載の装置。
【請求項１３】
装置であって、該装置は、
（ａ）１対の平行面を含む複数の面を有する導光素子であって、前記導光素子は前記平行面における内部反射によって導光するために構成され、前記複数の面のうちの１つは連結面を設ける、導光素子；
（ｂ）前記連結面に接着された接合面、および導光素子に光を入力するための入力面を備えた連結プリズム；および、
（ｃ）前記導光素子の前記連結面の少なくとも一部に適用され、前記導光素子と前記連結プリズムとの間に延びる不透明のコーティングであって、前記不透明のコーティングが、前記連結プリズムから前記連結面を介して前記導光素子へと通過する光のための光学遮断端部を画定し、および、前記不透明のコーティングが、少なくとも１つの前記平行面の下部領域において内部反射を生成するように構成される、不透明のコーティング；
を含む、
ことを特徴とする装置。
【請求項１４】
前記連結プリズムが接着剤を用いずに、前記導光素子の前記連結面に接着される、請求項１３に記載の装置。
【請求項１５】
装置であって、該装置は、
（ａ）第１および第２の平行面を含む複数の面を有する導光素子であって、前記導光素子は前記第１および第２の平行面における内部反射によって導光するために構成され、前記複数の面のうちの１つは連結面を設ける、導光素子；
（ｂ）前記連結面に取り付けるための接合面、および導光素子に光を入力するための入力面を備えた連結プリズム；および、
（ｃ）光学透過界面を形成するために前記連結面と前記接合面との間に配置される、ある量の透明な接着剤であって、前記ある量の接着剤の一部は、前記導光素子と前記連結プリズムとの間の、角度を有する凹部の部分的充填物を形成する、ある量の透明な接着剤、を含み、
ここで、前記部分的充填物の下にある前記導光素子の面の１つに沿って空隙が広がり、前記空隙が、前記導光素子の前記連結面に隣接する光学遮断端部を画定するように、前記接着剤内の端部にて境界を成すことを特徴とする装置。
【請求項１６】
光学アセンブリを製造するための方法であって、該方法は、
（ａ）第１および第２の平行面を含む複数の面を有する導光素子を設ける工程であって、前記導光素子は、前記第１および第２の平行面における内部反射によって導光するために構成される、工程；
（ｂ）前記導光素子の前記複数の面の少なくとも１つの、少なくとも一部にコーティングを適用する工程；
（ｃ）前記導光素子の連結面と前記コーティングの端部を同時に形成するために、前記コーティングに交差する平面に沿って前記導光素子を研削する工程；および、
（ｄ）前記連結面を、透明な光学素子の接合面に接着する工程であって、該透明な光学素子は、透明な光学素子内で伝播する光が接合面と連結面を通過し、それによって導光素子内に伝播するように構成される工程、を含み、
ここで、前記接着する工程は、ある量の透明な接着剤を前記連結面と前記接合面との間に適用することによって行われ、前記ある量の透明な接着剤の適用によって、前記連結面と前記接合面が一緒にプレスされる時、前記ある量の透明な接着剤の余剰が前記コーティングの前記端部に重なり合うことを特徴とする方法。
【請求項１７】
前記端部が光学遮断端部を画定するように、前記コーティングは不透明のコーティングである、請求項１６に記載の方法。
【請求項１８】
前記透明な接着剤内に形成された空隙の端部によって画定される遮断端部を残すために、前記コーティングを選択的に除去する工程をさらに含む、請求項１６に記載の方法。
【請求項１９】
光学アセンブリを製造するための方法であって、該方法は、
（ａ）１対の平行面を含む複数の面を有する導光素子を設ける工程であって、前記導光素子は前記平行面における内部反射によって導光するために構成され、前記複数の面のうちの１つは連結面を設ける、工程；
（ｂ）前記平行面の少なくとも１つの、少なくとも一部に不透明のコーティングを適用する工程であって、前記不透明のコーティングは、前記導光素子の前記連結面に隣接する、あるいは重なり合う端部を画定する、工程；
（ｃ）前記連結面を、透明な光学素子の接合面に接着する工程であって、該透明な光学素子は、透明な光学素子内で伝播する光が接合面と連結面を通過し、それによって導光素子内に伝播するように構成される工程、を含み、
ここで、前記接着する工程は、ある量の透明な接着剤を前記連結面と前記接合面との間に適用することによって行われ、前記ある量の透明な接着剤の適用によって、前記連結面と前記接合面が一緒にプレスされる時、前記ある量の透明な接着剤の余剰が前記コーティングの前記端部に重なり合い、および、
ここで、前記端部が、前記透明な光学素子から前記導光素子へと通過する光線のための光学遮断端部を画定し、ならびに、前記不透明のコーティングが、前記ある量の透明な接着剤の余剰によって重なる場所を含む、少なくとも１つの前記平行面の下部領域において内部反射を生成するように構成される、
ことを特徴とする方法。
【請求項２０】
前記連結面が前記平行面のうちの１つの上に設けられる、請求項１９に記載の方法。
【手続補正２】
【補正対象書類名】明細書
【補正対象項目名】００２０
【補正方法】変更
【補正の内容】
【００２０】
本発明の実施形態の教示に従い提供される装置は、（ａ）第１および第２の平行面を含む複数の面を有する導光素子であって、該導光素子は、第１および第２の面における内部反射によって導光するために構成され、複数の面のうちの１つは連結面を設ける導光素子；（ｂ）連結面に取り付けるための接合面、および導光素子に光を入力するための入力面を備えた連結プリズム；および（ｃ）光学透過界面を形成するために連結面と接合面の間に配置される、ある量の透明な接着剤であって、該接着剤の一部は、導光素子と連結プリズムとの間の、角度を有する凹部の部分的充填物を形成する、ある量の透明な接着剤、を含み、ここで、部分的充填物の下にある導光素子の面の１つに沿って空隙が広がり、前記空隙は、導光素子の連結面に隣接する光学遮断端部を画定するように、接着剤内の端部にて境界を成す、ことを特徴とする装置である。